(57)【特許請求の範囲】
【請求項１】
液体を噴霧することにより固化が始まる特殊アスファルト合材を舗装施工する特殊アスファルト合材用アスファルトフィニッシャであって、
前記特殊アスファルト合材を敷き均すスクリードを本体トラクタ部に連結する所要量長く形成されているスクリードアームは２分割式とし、
更に、該スクリードアームの分割部に、前記液体を噴霧する液体噴霧機能及び前記液体が噴霧される領域を通過する前記特殊アスファルト合材を所定量に規制する合材仕切り機能を備えた特殊合材施工用機器を取付けたスクリードアーム延長ブラケットを装着する一方、
通常のアスファルト合材を施工する際は２分割されているスクリードアームを直接接続可能に切換えられることを特徴とする特殊アスファルト合材用アスファルトフィニッシャ。
【請求項２】
液体を噴霧することにより固化が始まる特殊アスファルト合材を舗装施工する特殊アスファルト合材用アスファルトフィニッシャであって、
前記特殊アスファルト合材を敷き均すスクリードを本体トラクタ部に連結する所要量長く形成されているスクリードアームは、２分割式とし、
更に、該スクリードアームの分割部に、スクリードアーム延長ブラケットを
装着することにより、
前記液体を噴霧する液体噴霧機能及び前記液体が噴霧される領域を通過する前記特殊アスファルト合材を所定量に規制する合材仕切り機能を備えた特殊合材施工用機器を、本体トラクタ部にスクリードアームで連結されて前記特殊アスファルト合材を敷き均すスクリードの前端側に取付け可能にしたことを特徴とする特殊アスファルト合材用アスファルトフィニッシャ。
【発明の詳細な説明】
【技術分野】
【０００１】
本発明は、特殊アスファルト合材用アスファルトフィニッシャに関するものであり、特に、容易に通常アスファルト合材用のアスファルトフィニッシャに切換え使用することができて設備費用の低減を図ることが可能な特殊アスファルト合材用アスファルトフィニッシャに関するものである。
【背景技術】
【０００２】
近時の温暖化ガス削減方針や建設工事での工期短縮及び費用削減等の要求より、特殊なアスファルト合材を用いた道路舗装が増えている。その一方法として、特殊液体又は水等（以下、単に「液体」という。）を噴霧することで固化が始まる特殊アスファルト合材を用いた道路舗装がある。液体を噴霧することで固化が始まる特殊アスファルト合材の場合、その液体の噴霧タイミングや噴霧個所、噴霧量が舗装品質に大きく影響する。このため、液体噴霧領域に所定量の特殊アスファルト合材を通過させる必要がある。また、その後のその特殊アスファルト合材により完成した舗装体に含まれる液体量を一定とするために、液体噴霧領域を通過する特殊アスファルト合材量を調整する機構を備えている必要があり、その調整を施工中でも簡単に行えるようにすることが求められる。
【０００３】
上記の液体噴霧領域を通過する特殊アスファルト合材量を調整する機構等を備えた従来の特殊アスファルト合材用アスファルトフィニッシャを図５を用いて説明する。特殊アスファルト合材用アスファルトフィニッシャは、本体トラクタ部1の前部に特殊アスファルト合材を貯蔵する図示しないホッパが備えられ、該ホッパに貯蔵された特殊アスファルト合材が、図示しないコンベヤで本体トラクタ部1の後部に搬送され、この搬送された特殊アスファルト合材がスクリュー2で本体トラクタ部1の幅方向に撒き拡げられる。該スクリュー2の後方には、撒き拡げられた特殊アスファルト合材を敷き均すためのスクリード3がスクリードアーム4の後端部に支持されて設けられている。
【０００４】
スクリードアーム4は、通常アスファルト合材用アスファルトフィニッシャにおけるものよりも所要量長く形成されてスクリード3が所要量だけ後側に移設され、スクリュー2とスクリード3の間に所要間隔が設けられている。そして、この所要間隔の部位におけるスクリードアーム４の部分に、液体を噴霧する液体噴霧機能及び該液体が噴霧される領域を通過する特殊アスファルト合材を所定量に規制する合材仕切り機能を備えた特殊合材施工用機器５が取付けられている。前記液体噴霧機能は、特殊合材施工用機器５に内装された図示しない液体噴霧装置により得られ、前記合材仕切り機能は、特殊合材施工用機器５に内装された図示しない合材仕切り板により得られる。このように、図５に記載のアスファルトフィニッシャは、スクリュー２とスクリード３の間に特殊合材施工用機器５が固定して装備されて専用の特殊アスファルト合材用アスファルトフィニッシャとして構成されている。
【０００５】
また、上記の特殊合材施工用機器に内装された合材仕切り板に関連する従来技術として、例えば、次のような舗装機械におけるアスファルト合材量の調整装置が知られている。この従来技術は、モールドボードを備えた舗装機械において、該モールドボードの上端部に設けたパイプ軸の下部にシャフトを回転自在に配設し、該シャフトに軸方向の動きを上下方向に変換する操作方向変換手段を設けてモールドボードの上端部を連結するとともに、前記シャフトの一端部を前記モールドボードの外側部に突出して操作部を形成してある。このモールドボード近傍の操作部にてスクリード前に溜まるアスファルト合材量を観察しながら該シャフトを回転させることにより、モールドボードが上下いずれかに動いて前記モールドボードの下端部と路面との隙間を変更することができる。このように、アスファルト合材量を観察しながらモールドボードの高さが調整可能であるため、スクリード前に溜まるアスファルト合材量が合材の種類や温度等により変化した場合であっても、現場の状況を適切に捉えて該モールドボードの高さを変更することにより、アスファルト合材量を一定量に保持することができる（例えば、特許文献１参照）。
【先行技術文献】
【特許文献】
【０００６】
【特許文献１】特許第３７１３２４７号公報
【発明の概要】
【発明が解決しようとする課題】
【０００７】
図５に記載された従来の特殊アスファルト合材用アスファルトフィニッシャにおいては、スクリューとスクリードの間に特殊合材施工用機器が固定して装備されて専用の特殊アスファルト合材用アスファルトフィニッシャとして構成されている。
【０００８】
また、特許文献１に記載の従来技術においては、スクリード前に溜まるアスファルト合材量が合材の種類や温度等により変化した場合であっても、モールドボードの高さを変更することにより、アスファルト合材量を一定量に保持しうることのみが記載されている。
【０００９】
ところで、液体を噴霧することで固化が始まる特殊アスファルト合材を用いた道路舗装は、近時の建設工事での工期短縮及び費用削減等の要求より増えている一舗装工法である。
【００１０】
そこで、一台の特殊アスファルト合材用アスファルトフィニッシャを容易に通常アスファルト合材用のアスファルトフィニッシャに切換え使用することができて設備費用の低減を図るために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、液体を噴霧することにより固化が始まる特殊アスファルト合材を舗装施工する特殊アスファルト合材用アスファルトフィニッシャであって、
前記特殊アスファルト合材を敷き均すスクリードを本体トラクタ部に連結する所要量長く形成されているスクリードアームは２分割式とし、
更に、該スクリードアームの分割部に、前記液体を噴霧する液体噴霧機能及び前記液体が噴霧される領域を通過する前記特殊アスファルト合材を所定量に規制する合材仕切り機能を備えた特殊合材施工用機器を取付けたスクリードアーム延長ブラケットを装着する一方、
通常のアスファルト合材を施工する際は２分割されているスクリードアームを直接接続可能に切換えられることを特徴とする特殊アスファルト合材用アスファルトフィニッシャを提供する。
【００１２】
この構成によれば、特殊アスファルト合材用アスファルトフィニッシャは、スクリードアームの分割部に、特殊合材施工用機器を取付けたスクリードアーム延長ブラケットがボルト締結等により装着されてスクリードの直ぐ前方に液体の噴霧領域が形成されている。そして合材仕切り機能により前記液体の噴霧領域を通過する特殊アスファルト合材量が所定量に規制され、該特殊アスファルト合材により完成した舗装体に含まれる液体量がほぼ一定となって所定の舗装性能が達成される。通常のアスファルト合材を舗装施工する際は、ボルト締結等を解除してスクリードアーム延長ブラケットを取外し、２分割されているスクリードアーム部をボルト締結等により直接接続することで、アスファルトフィニッシャは通常アスファルト合材用に切換えられる。
【００１３】
請求項２記載の発明は、液体を噴霧することにより固化が始まる特殊アスファルト合材を舗装施工する特殊アスファルト合材用アスファルトフィニッシャであって、
前記特殊アスファルト合材を敷き均すスクリードを本体トラクタ部に連結する所要量長く形成されているスクリードアームは、２分割式とし、
更に、該スクリードアームの分割部に、スクリードアーム延長ブラケットを
装着することにより、
前記液体を噴霧する液体噴霧機能及び前記液体が噴霧される領域を通過する前記特殊アスファルト合材を所定量に規制する合材仕切り機能を備えた特殊合材施工用機器を、本体トラクタ部にスクリードアームで連結されて前記特殊アスファルト合材を敷き均すスクリードの前端側に取付け可能にしたことを特徴とする特殊アスファルト合材用アスファルトフィニッシャを提供する。
【００１４】
この構成によれば、特殊アスファルト合材用アスファルトフィニッシャは、スクリードの前端側に特殊合材施工用機器が取付けられてスクリードの直ぐ前方に液体の噴霧領域が形成されている。そして合材仕切り機能により前記液体の噴霧領域を通過する特殊アスファルト合材量が所定量に規制され、該特殊アスファルト合材により完成した舗装体に含まれる液体量がほぼ一定となって所定の舗装性能が達成される。通常のアスファルト合材を舗装施工する際は、スクリードの前端側から特殊合材施工用機器の取外し等を行うことで、アスファルトフィニッシャは通常アスファルト合材用に切換えられる。
【発明の効果】
【００１５】
請求項１記載の発明は、スクリードアームの分割部にスクリードアーム延長ブラケットを装着しているボルト締結等を解除してスクリードアーム延長ブラケットを取外し、２分割されているスクリードアーム部をボルト締結等により直接接続することで、一台の特殊アスファルト合材用アスファルトフィニッシャを容易に通常アスファルト合材用のアスファルトフィニッシャに切換え使用することができて設備費用の低減を図ることができるという利点がある。
【００１６】
請求項２記載の発明は、スクリードの前端側から特殊合材施工用機器の取外し等を行うことで、一台の特殊アスファルト合材用アスファルトフィニッシャを容易に通常アスファルト合材用のアスファルトフィニッシャに切換え使用することができて設備費用の低減を図ることができるという利点がある。
【図面の簡単な説明】
【００１７】
【図１】（ａ）本発明の実施例１に係る特殊アスファルト合材用アスファルトフィニッシャを一部破断して示す側面図、（ｂ）長スクリードアーム部分の平面図、（ｃ）長スクリードアーム部分の平面図。
【図２】図１の特殊アスファルト合材用アスファルトフィニッシャにおいて、スクリードアームの分割部に対するスクリードアーム延長ブラケットの装着部をさらに詳細に示す要部側面図。
【図３】図１の特殊アスファルト合材用アスファルトフィニッシャを通常アスファルト合材用アスファルトフィニッシャに切換えた状態を一部破断して示す側面図。
【図４】本発明の実施例２に係る特殊アスファルト合材用アスファルトフィニッシャの要部側面図。
【図５】従来の特殊アスファルト合材施工専用のアスファルトフィニッシャを一部破断して示す側面図。
【発明を実施するための形態】
【００１８】
本発明は、一台の特殊アスファルト合材用アスファルトフィニッシャを容易に通常アスファルト合材用のアスファルトフィニッシャに切換え使用することができて設備費用の低減を図るという目的を達成するために、液体を噴霧することにより固化が始まる特殊アスファルト合材を舗装施工する特殊アスファルト合材用アスファルトフィニッシャであって、前記特殊アスファルト合材を敷き均すスクリードを本体トラクタ部に連結するスクリードアームを２分割式とし該スクリードアームの分割部に、前記液体を噴霧する液体噴霧機能及び前記液体が噴霧される領域を通過する前記特殊アスファルト合材を所定量に規制する合材仕切り機能を備えた特殊合材施工用機器を取付けたスクリードアーム延長ブラケットを装着することにより実現した。
【実施例１】
【００１９】
以下、本発明の好適な実施例１を図１乃至図３を参照して説明する。なお、図１乃至図３及び後述する実施例２を示す図４において前記図５における構成要素と同一ないし均等のものは、前記と同一符合を以って示し、重複した説明を省略する。まず、本実施例１に係る特殊アスファルト合材用アスファルトフィニッシャの構成を図１及び図２を用いて説明する。
【００２０】
図１において、本体トラクタ部１とスクリード３とを連結するスクリードアーム６が長スクリードアーム６Ａと短スクリードアーム６Ｂとに２分割され、該スクリードアーム６の分割部に、特殊合材施工用機器５を取付けたスクリードアーム延長ブラケット７が装着されている。このスクリードアーム延長ブラケット７の装着により、図１（ｂ）に示すようにスクリード３が所要量だけ後側に移設されてスクリュー２とスクリード３の間に所要間隔が形成され、前記特殊合材施工用機器５は、この所要間隔の部位に位置するようにスクリードアーム延長ブラケット７に懸吊されている。又、スクリュー２とスクリード３の間を短くする場合は、図１（ｃ）に示す如く、前記スクリードアーム延長ブラケット７を装着しないで、前記長スクリードアーム６Ａとスクリード３との間に短スクリードアーム６Ｂを介装してボルト８で連結することにより実施される。
【００２１】
図２にも示すように、スクリードアーム延長ブラケット７には、特殊合材施工用機器５の懸吊プレート５ａが一体に固着されている。そして、スクリードアーム延長ブラケット７自身が短スクリードアーム６Ｂ側にボルト８の締結により取付けられ、懸吊プレート５ａが長スクリードアーム６Ａ側に他のボルト８の締結により取付けられて、前記スクリードアーム６の分割部に、特殊合材施工用機器５を取付けたスクリードアーム延長ブラケット７が装着されている。
【００２２】
次に、上述のように構成された特殊アスファルト合材用アスファルトフィニッシャの作用を説明する。特殊アスファルト合材用アスファルトフィニッシャは、スクリードアーム６の分割部に、特殊合材施工用機器５を取付けたスクリードアーム延長ブラケット７がボルト８の締結により装着されている。該特殊合材施工用機器５には、内装された図示しない液体噴霧装置により液体噴霧機能が備えられ、また内装された図示しない合材仕切り板により合材仕切り機能が備えられている。
【００２３】
このため、スクリード３の直ぐ前方には、特殊合材施工用機器５に備えられた液体噴霧機能により液体の噴霧領域が形成され、また合材仕切り機能により前記液体の噴霧領域を通過する特殊アスファルト合材量が所定量に規制されている。この結果、特殊アスファルト合材により完成した舗装体に含まれる液体量がほぼ一定となって所定の舗装性能が達成される。
【００２４】
アスファルトフィニッシャで通常のアスファルト合材を舗装施工する際は、スクリードアーム６の分割部部分のボルト８締結を解除してスクリードアーム６の分割部からスクリードアーム延長ブラケット７を取外し、図３に示すように、２分割されている長スクリードアーム６Ａと短スクリードアーム６Ｂとをボルト８の締結により直接接続することで、アスファルトフィニッシャは通常アスファルト合材用に切換えられる。
【００２５】
上述したように、本実施例１に係る特殊アスファルト合材用アスファルトフィニッシャにおいては、スクリードアーム６の分割部にスクリードアーム延長ブラケット７を装着しているボルト８の締結を解除してスクリードアーム延長ブラケット７を取外し、２分割されている長スクリードアーム６Ａと短スクリードアーム６Ｂとをボルト８の締結により直接接続することで、一台の特殊アスファルト合材用アスファルトフィニッシャを容易に通常アスファルト合材用のアスファルトフィニッシャに切換え使用することができて設備費用の低減を図ることができる。
【実施例２】
【００２６】
本発明の実施例２に係る特殊アスファルト合材用アスファルトフィニッシャを図４を参照して説明する。本実施例２では、特殊合材施工用機器５が、スクリードアーム６に連結されて特殊アスファルト合材を敷き均すスクリード３の前端側に取付けられている。
【００２７】
このように、特殊合材施工用機器５がスクリード３の前端側に取付けられていることで、スクリード３の直ぐ前方に該特殊合材施工用機器５の液体噴霧機能により液体の噴霧領域が形成され、合材仕切り機能により前記液体の噴霧領域を通過する特殊アスファルト合材量が所定量に規制されている。この結果、前記実施例１と同様に、特殊アスファルト合材により完成した舗装体に含まれる液体量がほぼ一定となって所定の舗装性能が達成される。
【００２８】
通常のアスファルト合材を舗装施工する際は、スクリード３の前端側から特殊合材施工用機器５の取外し等を行うことで、アスファルトフィニッシャは通常アスファルト合材用に切換えられる。本実施例２では、特殊合材施工用機器５がスクリード３の前端側に取付けられていることで、その取外し等が容易になる。
【００２９】
なお、本発明は、本発明の精神を逸脱しない限り種々の改変をなすことができ、そして、本発明が該改変されたものにも及ぶことは当然である。
【産業上の利用可能性】
【００３０】
一アスファルト合材用のアスファルトフィニッシャを容易に他のアスファルト合材用のアスファルトフィニッシャに切換えて設備費用の低減を図ることが不可欠な特殊合材施工用のアスファルトフィニッシャ以外の他の合材施工用のアスファルトフィニッシャにも広く適用することが可能である。
【符号の説明】
【００３１】
１    本体トラクタ部
２    スクリュー
３    スクリード
５    特殊合材施工用機器
６    スクリードアーム
７    スクリードアーム延長ブラケット
８    ボルト
【図１】
0005336463.tif 000002
【図２】
0005336463.tif 000003
【図３】
0005336463.tif 000004
【図４】
0005336463.tif 000005
【図５】
0005336463.tif 000006